(57)【要約】【課題】上棚に下げ糸を結着するのに強い力は不要で、しかも強固に連結することができ、漁網からは下げ糸を容易に解くことが出来るように結着することにより上棚と漁網の連結の確実性と漁網の交換容易性を可能にして作業効率を高めることができ、また下げ糸を繰り返し使用できるので資材費を節減できる上棚と漁網の連結構造を提供する。【解決手段】上棚２はロープ２Ａに所定の間隔で多数の浮子２Ｂを設けたものからなる。下げ糸４の上端側４Ａはロープ２Ａに上側結び目４Ｂよって結着してあり、上側結び目４Ｂは漁網３によって矢示イ方向に引かれる力でより強く締結するようになっている。下げ糸４の下端側４Ｃは漁網３の網糸３Ａに下側結び目４Ｄによって結着してある。下側結び目４Ｄは端部４Ｅを矢示ロ方向に引くだけで容易に解くことができる。【選択図】図２
0003197489.tif 000002
【実用新案登録請求の範囲】
【請求項１】
ロープに所定間隔で複数の浮子を設けてなる上棚に、漁網の上端側を下げ糸によって吊下げ状態に連結する上棚と漁網の連結構造であって、前記下げ糸の上端側は前記ロープに対して前記漁網による下向きの引き力によって締まる結び目により結着し、前記下げ糸の下端側は前記漁網の上端側に端部を引くことによって容易に解くことができる結び目により結着することにより、前記下げ糸は前記漁網を前記上棚に強固に連結し、該漁網からは容易に結着を解くことが出来るようにしてなる上棚と漁網の連結構造。
【請求項２】
前記下げ糸の下端側は、前記漁網の上端側の網糸に結着してあることを特徴とする請求項１記載の上棚と漁網の連結構造。
【請求項３】
前記下げ糸の下端側は、前記漁網の上端側の網目に挿通した仕立て糸に結着してあることを特徴とする請求項１記載の上棚と漁網の連結構造。
【考案の詳細な説明】
【技術分野】
【０００１】
本考案は、下げ糸によって漁網を上棚に強固に連結し、しかも漁網からは容易に解くことが出来るようにして、上棚と漁網の連結の確実性と漁網の交換容易性を図るようにした上棚と漁網の連結構造に関する。
【背景技術】
【０００２】
刺し網漁に使用する網の例を図６に示す。該刺し網５１は、所定の間隔で多数の浮子５２Ａ、５２Ａ、・・・を設けたロープ５２Ｂから構成され、海面側に位置する上棚５２と、網糸５３Ａを編成して仕立て糸５３Ｂを上端側の網目に挿通して上棚５２に所定の間隔で連結した漁網５３とから構成してあり、網本体５３を上棚５２からカーテン状に吊り下げた状態に展設するものである。
【０００３】
また、特許文献１の第７図には、所定の間隔で多数の浮子を設けた主ロープＲから構成され、海面側に位置する上棚と、上端側を上棚に締結し、下端側を漁網の中間ロープＲ‘に締結して漁網を吊下げ状に支持する下げ糸から構成する漁網の仕立て方法が開示されている。
【先行技術文献】
【特許文献】
【０００４】
【特許文献１】特公平６−１１２１１号公報
【考案の概要】
【考案が解決しようとする課題】
【０００５】
上述した図６に示す先行技術によれば、ロープ５２Ｂと仕立て糸５３Ａとの間が狭いために浮子５２Ａが仕立て糸５３Ａに引っ掛って仕立て糸５３Ａや網糸を摩擦により切断してしまう、漁網５３の動きを阻害するという欠点があった。
また、特許文献１の図７に示す従来技術にあっては、傷んだ上棚を漁網から外し、或いは上棚から漁網を外して補修や交換を行う場合、下げ糸の上端側と下端側は操業中に外れないようにロープと漁網に夫々強く締結した状態になっているため、これらを外す場合手で解くことは困難で、下げ糸の結び目を鋏みやナイフで切断して新しい下げ糸を上棚及び漁網に強く結着しなければならない。このためのロープに下げ糸を締結し、また下げ糸を漁網に締結する作業に強い力と時間が必要で作業効率が悪いという問題があるし、下げ糸は使い捨てになるため資材費のコストが嵩むという問題がある。
【０００６】
本考案は上述した従来技術の諸欠点に鑑みなされたもので、上棚に下げ糸を結着するのに強い力は不要で、しかも強固に連結することができ、漁網からは下げ糸を容易に解くことが出来るように結着することにより上棚と漁網の連結の確実性と漁網の交換容易性を可能にして作業効率を高めることができ、また下げ糸を繰り返し使用できるので資材費を節減できる上棚と漁網の連結構造を提供することを目的とする。
【課題を解決するための手段】
【０００７】
上述した課題を解決するために構成した本考案の手段は、ロープに所定の間隔で多数の浮子を設けてなる上棚に、下げ糸によって漁網の上端側を吊下げ状態に連結する上棚と漁網の連結構造であって、前記下げ糸の上端側は前記ロープに対して下向きの引き力によって締まる結び目により結着し、該下げ糸の下端側は前記漁網の上端側に端部側を引くことで容易に解くことができる結び目により結着し、前記下げ糸の上端側は前記上棚に対して前記漁網をより強固に連結し、下端側は前記漁網から容易に連結を解くことが出来るようにしてなる。
【０００８】
そして、前記下げ糸の下端側は、前記漁網の上端側の網糸に結着した構成にしてもよい。
【０００９】
また、前記下げ糸の下端側は、前記漁網の上端側の網目に挿通した仕立て糸に結着してもよい。
【考案の効果】
【００１０】
本考案は上記の如く構成したから、下記の諸効果を奏する。
（１）上棚のロープに結着する下げ糸の上側結び目は漁網による下方への引く力でより一層強く締まる結び目にしたから、ロープに下げ糸を結着する作業に強い力は不要であり、結着作業に要する労力を軽減できるし、作業時間も短縮できるので結着作業を効率的に行うことができる。従って、力の弱い高齢者でも未経験者でも結着作業を行うことができる。
（２）漁網に結着する下げ糸の下側結び目は端部を引くだけで容易に解くことができる結び目にしたから、下げ糸から漁網を外す作業を容易に、速やかに行うことができるので極めて作業性に優れている。また、力も必要でないし、鋏みやナイフ等の器具を使用しないので、誰でも漁網の交換作業を効率的に行うことができる。
（３）漁網に結着した下げ糸は切断することなく漁網から容易に外すことができるから、下げ糸は繰り返し使用することができるので資材費を節減できる。
（４）下げ糸の下端側は漁網の上端側の網糸に直接結着することで、仕立て糸を使わない構成の漁網でも上棚に連結することができる。
（５）下げ糸によって上棚と漁網との間隔を保持するから、浮子が漁網によって損傷する事態を解消できる。
【図面の簡単な説明】
【００１１】
【図１】図１乃至図４は本考案の第１の実施の形態に係り、図１は上棚と漁網を下げ糸で連結した刺し網の説明図である。
【図２】上棚と漁網を下げ糸で連結する構成の部分拡大図である。
【図３】上棚に下げ糸を結着する上側結び目を示す説明図である。
【図４】漁網に下げ糸を結着する下側結び目を示す説明図である。
【図５】第２の実施の形態に係る上棚と漁網を下げ糸で連結した状態の説明図である。
【図６】従来技術に係る刺し網の説明図である。
【考案を実施するための形態】
【００１２】
以下、本考案の実施の形態を図面に基づいて詳述する。図１乃至図４は第１の実施の形態を示す。図において、１は刺し網を示す。２は該刺し網１を構成する上棚で、該上棚２はロープ２Ａに多数の浮子２Ｂ、２Ｂを所定の間隔で設けて構成してあり、横方向に５０ｍ以上の長さからなっている。３は前記上棚２により支持される刺し網用の漁網で、該漁網３は多数の網糸３Ａ、３Ａ、・・・を菱形に編成して形成してある。
【００１３】
４、４、・・・は前記漁網３を上棚２に吊下げ状に連結する多数本の下げ糸を示す。該各下げ糸４は、上棚２に連結する上端側４Ａの上側結び目４Ｂをロープ２Ａに対して矢示イ方向の下向きの引き力によって一層締まる結び目により締結してある（図３参照）。他方、漁網３に連結する下げ糸４の下端側４Ｃの下側結び目４Ｄは漁網３の上端側に位置する網糸３Ａに結着してあり、該下側結び目４Ｄは下げ糸４の端部４Ｅを矢示ロ方向に引くことで容易に解くことができる結び目にしてある（図４参照）。
【００１４】
次に、上述の構成からなる本実施の形態の作用について説明する。先ず、刺し網１を形成するために上棚２のロープ２Ａに適宜の間隔で下げ糸４の上端側４Ａを図３に示す上側結び目４Ｂで結着する。次に、下げ糸４の下端側４Ｃを漁網３の網糸３Ａに図４に示す下側結び目４Ｄで結着する。このようにして、下げ糸４、４、・・・によって上棚２に漁網３を連結することで、刺し網１を構成する。
【００１５】
上記連結作業において、下げ糸４の上端側４Ａは図３に示す上側結び目４Ｂによってロープ２Ａに強い力を加えることなく簡単に結着することで足りるが、漁網３が潮流によって流れて下げ糸４に矢示イ方向の引く力が掛ることで上側結び目４Ｂはロープ２Ａに次第に強く締結された状態になり、下げ糸４とロープ２Ａは確実に連結する。
【００１６】
また、漁網３が損傷して新しい漁網と交換する場合は、下げ糸４の下側結び目４Ｄから突出する端部４Ｅを矢示ロ方向に引くだけで下側結び目４Ｄを解くことができ、下げ糸４から漁網３を簡単に、迅速に外すことができる。
このように、下げ糸４を上棚２に連結する作業も下げ糸４を漁網３から外す作業も強い力を必要としないから、短時間で効率良く行うことができるし、結着方法に熟練を必要としないから高齢者や未経験者でも作業を行うことができる。
【００１７】
図５は第２の実施の形態を示す。なお、第１の実施の形態の構成要素と同一の構成要素には同一の符号を付して援用し、その説明を省略する。図において、１１は刺し網、１２は上棚２と共に該刺し網１１を構成する漁網を示し、該漁網１２は網糸１２Ａを編成して形成した網目の上端側に仕立て糸１２Ｂを挿通して構成してある。
【００１８】
１３は上端側１３Ａを上棚２のロープ２Ａに所定の間隔で結着した下げ糸で、該下げ糸１３の上側結び目１３Ｂは第１の実施の形態の上側結び目４Ｂと同じ方法からなっている。また、下げ糸１３の下端側１３Ｃは下側結び目１３Ｄにより前記仕立て糸１２Ｂに結着してある。該下側結び目１３Ｄは第１の実施の形態の下側結び目４Ｄと同じ方法からなっており、端部１３Ｅを引くことで下側結び目１３Ｄは解くことが可能になっている。
【００１９】
本実施の形態によれば、仕立て糸１２Ｂを有する漁網１２と上棚２を下げ糸１３により連結した場合でも、上棚２に下げ糸１３を強い力を加えることなく締結できるし、下げ糸１３の端部１３Ｅを引くことで仕立て糸１２Ｂから容易に解すことができる。
【００２０】
なお、上記各実施の形態における上側結び目４Ｂ、１３Ｂ及び下側結び目４Ｄ、１３Ｄの結着方法は一例であって、同様の作用が可能な他の結着方法で上棚２と漁網３（１２）を連結してもよいものである。
【符号の説明】
【００２１】
１、１１    刺し網
２          上棚
２Ａ        ロープ
２Ｂ        浮子
３、１２    漁網
３Ａ        網糸
４、１３    下げ糸
４Ｂ、１３Ｂ    上側結び目
４Ｄ、１３Ｄ    下側結び目
４Ｅ、１３Ｅ    端部
１２Ｂ      仕立て糸
【図１】
0003197489.tif 000003
【図２】
0003197489.tif 000004
【図３】
0003197489.tif 000005
【図４】
0003197489.tif 000006
【図５】
0003197489.tif 000007
【図６】
0003197489.tif 000008